(57)【要約】      （修正有）【課題】微風から強風まで、高出力を得ることができるダリウス型風車を提供する。【解決手段】ダリウス型風車は、垂直軸３１と、垂直軸３１に上端３２ａと下端とが連結され、上部３２１と中央部３２２と下部３２３とにより弓状に形成されたダリウス型ブレード３２とを備えている。このダリウス型ブレード３２は、中央部３２２の断面形状が翼形状に形成されており、上部３２１と下部３２３の幅より、中央部３２２の幅が広く形成されている。【選択図】図３
2020051288.tif 000002
【特許請求の範囲】
【請求項１】
垂直軸と、前記垂直軸に上端部と下端部とが連結され、上部と中央部と下部とにより弓状に形成されたダリウス型ブレードとを備え、
前記ダリウス型ブレードは、前記中央部の断面形状が翼形状に形成され、前記上部と前記下部の幅より、前記中央部の幅が広く形成されたダリウス型風車。
【請求項２】
前記ダリウス型ブレードは、前記上端部から、前記中央部の回転半径の最大位置に向かって徐々に幅が広くなるように形成され、前記最大位置から前記下端部まで徐々に幅が狭くなるように形成された請求項１記載のダリウス型風車。
【請求項３】
前記ダリウス型ブレードは、前記上部と前記下部の膨らみより、前記中央部の膨らみが大きく形成された請求項１または２記載のダリウス型風車。
【請求項４】
前記ダリウス型ブレードは、前記上部の上端から、前記中央部の回転半径の最大位置に向かって徐々に膨らむように形成され、前記最大位置から前記下部の下端まで徐々に薄くなるように形成された請求項３記載のダリウス型風車。
【請求項５】
前記ダリウス型ブレードは、前記上部と前記下部とが直線状に形成され、前記中央部が外側に膨らむく字状に形成された請求項１から４のいずれかの項に記載のダリウス型風車。
【請求項６】
前記中央部の断面形状は、内側面においては直線状であり、外側面においては回転方向の前部が膨らみ後方に向かって徐々に薄くなるように形成された請求項１から５にいずれかの項に記載のダリウス型風車。
【請求項７】
前記ダリウス型ブレードを磁石の反発により浮上させる浮上装置を備え、
前記浮上装置は、前記ダリウス型ブレードの上端部および下端部の間の前記垂直軸に配置された請求項１から６のいずれかの項に記載のダリウス型風車。
【請求項８】
前記ダリウス型ブレードの少なくとも前記上部の外側面に太陽光発電パネルを備えた請求項１から７のいずれかの項に記載のダリウス型風車。
【請求項９】
前記ダリウス型ブレードの外側面に配置されたディスプレイ装置と、前記ディスプレイ装置に画像データを表示する制御装置とを備え、
前記制御装置は、表示される画像データが格納される記憶手段と、前記ダリウス型ブレードの回転方向に合わせて、画像データを端から順に読み込み、前記ディスプレイ装置に表示させる表示処理手段とを備えた請求項１から７のいずれかの項に記載のダリウス型風車。
【発明の詳細な説明】
【技術分野】
【０００１】
本発明は、垂直軸に、湾曲状に形成されたダリウス型ブレードの上端部と下端部とが接続されたダリウス型風車に関するものである。
【背景技術】
【０００２】
垂直軸型のダリウス型風車は、どの方向からの風でも回転し、強風時でも大きな騒音が発生し難く、建設コストも抑えられることから、郊外だけでなく都市にも設置することが可能な風車である。一方、サボニウス型風車は、ダリウス型風車と同様にどの方向からの風でも回転するだけでなく、微風でも回転させることができ、優れた静寂性を有している。
そこで、微風時に良好に回転するサボニウス型風車と、強風時に良好に回転するダリウス型風車とを組み合わせた風車が、特許文献１〜３に記載されている。
【先行技術文献】
【特許文献】
【０００３】
【特許文献１】特開２００９−０４７０３０号公報
【特許文献２】特開２０１４−７４３８２号公報
【特許文献３】特開２０１５−０２７２５０号公報
【発明の概要】
【発明が解決しようとする課題】
【０００４】
しかし、特許文献１〜３に記載の従来の風車が備えるサボニウス型風車は、微風時でも回転を得ることができるが、強風時にサボニウス型風車がダリウス型風車の負担となってしまい、高出力を得ることが難しい。ダリウス型風車だけでも微風に対応できれば、微風から強風まで高出力を得ることができる。
【０００５】
そこで本発明は、微風から強風まで、高出力を得ることができるダリウス型風車を提供することを目的とする。
【課題を解決するための手段】
【０００６】
本発明のダリウス型風車は、垂直軸と、前記垂直軸に上端部と下端部とが連結され、上部と中央部と下部とにより弓状に形成されたダリウス型ブレードとを備え、前記ダリウス型ブレードは、前記中央部の断面形状が翼形状に形成され、前記上部と前記下部の幅より、前記中央部の幅が広く形成されたことを特徴とする。
【０００７】
本発明のダリウス型風車によれば、上部と下部の幅より、中央部の幅が広く形成されているため、上部および下部と中央部とが等幅に形成された従来のダリウス形のブレードより、中央部が幅広く風を受けることができ、また、上部と下部の幅が中央部の幅より細い分、全部を幅広くしたブレードより軽量にできる。従って、微風であってもダリウス型のブレードだけで、力強い回転力を得ることができる。
【０００８】
前記ダリウス型ブレードを、前記上部と前記下部の膨らみより、前記中央部の膨らみが大きく形成することができる。
上部および下部より中央部の膨らみを大きくすることで、ブレードの面積をより広く確保することができるので、ブレードによる揚力を大きくすることができる。
【０００９】
前記ダリウス型ブレードを、前記上端部から、前記中央部の回転半径の最大位置に向かって徐々に幅が広くなるように形成され、前記最大位置から前記下端部まで徐々に幅が狭くなるように形成することができる。
また、前記ダリウス型ブレードを、前記上部の上端から、前記中央部の回転半径の最大位置に向かって徐々に膨らむように形成され、前記最大位置から前記下部の下端まで徐々に薄くなるように形成することができる。
ブレードを、徐々に幅広くしたり幅狭くしたり、徐々に膨らむようにしたり薄くしたりしているため、ブレードには、幅の変化や膨らに変化に段階的な境界が無い。そのため、気流が乱れることなくブレードをスムーズに流れるので、ブレードに回転駆動力を効率よく発生させることができる。
【００１０】
前記ダリウス型ブレードを、前記上部と前記下部とが直線状に形成され、前記中央部が外側に膨らむく字状に形成することができる。このブレードの湾曲形状は、縄跳びの縄が先端で一番開いた形状と似ており、高い耐久性能と遠心力が有られる構造とすることができる。
【００１１】
前記中央部の断面形状を、内側面においては直線状であり、外側面においては回転方向の前部が膨らみ後方に向かって徐々に薄くなるように形成することができる。内側面が直線状に形成されているため、ブレードが回転して風の正面に位置したときに内側面の抗力を、理論上０とすることができる。
【００１２】
前記ダリウス型ブレードを磁石の反発により浮上させる浮上装置を備え、前記浮上装置を、前記ダリウス型ブレードの上端部および下端部の間の前記垂直軸に配置することができる。ダリウス型ブレードの上端部および下端部の間の垂直軸に、浮上装置を配置することで、ブレードの外側に浮上装置を配置するより、本発明のダリウス型風車の高さを低く抑えることができる。
【００１３】
前記ダリウス型ブレードの少なくとも前記上部の外側面に太陽光発電パネルを備えることができる。
太陽光発電パネルを備えることで、ブレードの回転による発電だけでなく、太陽光発電パネルによる発電による電力も得ることができる。また、太陽光発電パネルが、上部に形成されていることで、垂直翼のジャイルミル型風車より太陽光を垂直にまたは垂直近くに受けることができるため、発電効率を高めることができる。
【００１４】
前記ダリウス型ブレードの外側面に配置されたディスプレイ装置と、前記ディスプレイ装置に画像データを表示する制御装置とを備え、前記制御装置は、表示される画像データが格納される記憶手段と、前記ダリウス型ブレードの回転方向に合わせて、画像データを端から順に読み込み、前記ディスプレイ装置に表示させる表示処理手段とを備えることができる。
ブレードの外側面にディスプレイ装置を配置し、制御装置が画像データを表示することにより、ディスプレイ装置に宣伝や広告などを効果的に表示することができる。
【発明の効果】
【００１５】
本発明のダリウス型風車によれば、中央部が幅広く風を受けることができ、軽量にできるため、微風であっても力強い回転力を得ることができるので、微風から強風まで、高出力を得ることができる。
【図面の簡単な説明】
【００１６】
【図１】本発明の実施の形態に係る風力発電装置を示す図である。
【図２】図１に示す風力発電装置のユニット枠と、ダリウス型風車とを説明するための斜視図である。
【図３】図２に示すダリウス型風車の断面図である。
【図４】図２に示すダリウス型風車のブレードを水平方向から見た図である。
【図５】図４に示すブレードの断面図であり、（Ａ）はＡ−Ａ線断面図、（Ｂ）はＢ−Ｂ線断面図である。
【図６】図１に示す風力発電装置の浮上装置と発電装置とを説明するための断面図である。
【図７】風力発電装置を支持する支持枠の変形例を示す図であり、（Ａ）はユニット枠を三日月状とした例、（Ｂ）はユニット枠をコ字状とした例である。
【図８】図１に示す風力発電装置のダリウス型風車の第１変形例の図である。
【図９】図８の示す風力発電装置のダリウス型風車の断面図である。
【図１０】図１に示す風力発電装置のダリウス型風車の第２変形例の図である。
【図１１】図１に示す風力発電装置の第３変形例の図であり、ブレードの外側面に太陽光発電パネルを装着した状態の図である。
【図１２】図１に示す風力発電装置の第４変形例の図であり、ブレードの外側面にＬＥＤディスプレイを装着した状態の図である。
【図１３】（Ａ）はＬＥＤディスプレイに画像データを表示する制御装置の構成を示す図であり、（Ｂ）はＬＥＤディスプレイに画像データを表示する状態を説明するための図である。
【図１４】図１に示す風力発電装置を発明品とし、従来の風力発電装置を比較品として、風速に対する発電電力を測定したグラフである。
【発明を実施するための形態】
【００１７】
本発明の実施の形態に係るダリウス型風車を、それを用いた風力発電装置を例に、図面に基づいて説明する。
図１に示す風力発電装置１０は、多段用フレーム２０に複数のダリウス型風車３０が設置され、支柱４０に支持されている。
ダリウス型風車３０は、その回転方向が、上下方向に隣り合うダリウス型風車３０と逆向きに回転するように構成されているため、隣接するダリウス型風車３０への振動が軽減される。
【００１８】
多段用フレーム２０は、図２に示すように、フレーム部材２１が直方体状に組み立てられたユニット枠２２が上下方向に段積みされた枠体である。ユニット枠２２は、１台分のダリウス型風車３０を支持する。
【００１９】
図２および図３に示すように、ダリウス型風車３０は、垂直軸３１と、３枚のダリウス型ブレード３２（以下、単にブレード３２と称す。）と、浮上装置３３と、発電装置３４とを備えている。
【００２０】
垂直軸３１は、風を受けるブレード３２により回転する回転軸３１１と、垂直軸３１（回転軸３１１）の上端部３１ａおよび下端部３１ｂに配置された連結具３１２，３１３とを備えている。
【００２１】
ブレード３２は、例えば、発泡スチロールにより形成された芯材を樹脂コーティングしたものとすることができる。また、ブレード３２は、樹脂成形により形成することもできる。また、ブレード３２は金属製とすることも可能である。
【００２２】
ブレード３２は、直線状に形成された上部３２１と、外側に膨らむ「く」字状に形成された中央部３２２と、直線状に形成された下部３２３とにより、弓状に形成されている。  ここで、ブレード３２の形状について図面に基づいて詳細に説明する。
図４と、図５（Ａ）および同図（Ｂ）とに示すブレード３２は、断面形状（水平断面）が、翼形状に形成されている。この翼形状（断面形状）は、外側面３２ｍが流線形状であり、内側面３２ｎが直線状である。外側面３２ｍの流線形状は、回転方向Ｆ１の前部が膨らみ、後方へ向かうに従って徐々に厚みが薄くなる形状である。なお、図５（Ａ）は、図４におけるブレード３２の下部３２３の断面形状を示すものであるが、上部３２１の断面形状も同じである。
【００２３】
また、ブレード３２は、上部３２１および下部３２３の幅Ｗ１１より、中央部３２２の幅Ｗ２１が広く形成されている。このブレード３２の幅は、上部３２１の上端３２ａから、中央部３２２の回転半径が最大となる位置（以下、この最大位置を湾曲部３２２ａと称す。）に向かって徐々に幅が広くなるように形成され、湾曲部３２２ａから下部３２３の下端３２ｂまで徐々に幅が狭くなるように形成されている。
【００２４】
更に、ブレード３２は、外側面３２ｍの膨らみが最も大きいところでは、上部３２１および下部３２３の膨らみＴ１１より、中央部３２２の膨らみＴ２１が大きく形成されている。この膨らみは、上部３２１の上端３２ａから、中央部３２２の湾曲部３２２ａに向かって徐々に膨らむように形成され、湾曲部３２２ａから下部３２３の下端３２ｂまで徐々に薄くなるように形成されている。
【００２５】
次に、垂直軸３１の下部であり、ブレード３２の外側となる連結具３１３の下方に配置された浮上装置３３および発電装置３４について、図６に基づいて説明する。
浮上装置３３は、上部ケース３３１に内包された第１磁石３３２と、上部ケース３３１に被さる下側ケース３３３の上面に設置された第２磁石３３４とが同極同士を向き合うように配置することで、第１磁石３３２側が隙間Ｇを空けて第２磁石３３４から浮上している。また、浮上装置３３は、連結具３１３内に、浮上することで上下に揺動するブレード３２の回転を発電装置３４へ伝達するためのボールスプライン３３５を備えている。
従って、浮上装置３３は、ブレード３２の回転時の抵抗となる垂直軸に掛かる荷重を軽減することができ、発電装置３４による発電効率の向上を図ることができる。
【００２６】
発電装置３４は、ダリウス型風車３０の回転から三相交流を発電する発電機である。発電装置３４は、固定子３４１と、回転子３４２とを備えている。
固定子３４１は、回転子３４２の両面にそれぞれ対向するように３組のコイルが円周方向に沿って配置され、回転子３４２の回転により位相の異なる３つの交流を発生させる機能を有する。回転子３４２は、円盤状に形成され、垂直軸３１と共に回転する永久磁石が、円周方向に沿って、Ｎ極およびＳ極が交互に配置されたものである。
【００２７】
このように形成されたダリウス型風車３０（図１参照）のブレード３２であるが、風車のブレードは、回転力は風を受けた際に発生する揚力と抗力との差によって回転駆動される。
発生する揚力Ｌは、式（１）のモデル式からブレードの面積と、速度の２乗に比例することがわかる。但し、ＣLは揚力係数、ρは流体の密度、Ｖは物体と流体の相対速度、Ｓは物体の代表面積（ブレードの面積）である。また、抗力も同様の式で表される。
【００２８】
【数１】
2020051288.tif 000003
・・・（１）
【００２９】
ブレード３２は、図５（Ａ）および同図（Ｂ）に示すように、断面形状が翼形状に形成されている。従って、ブレード３２は、揚力を抗力より大きく設定することができるため、ブレード３２は風を受けることで、回転力が付与される。
また、ブレード３２は、内側面３２ｎが直線状であり、外側面３２ｍにおいては回転方向の前部が膨らみ後方に向かって徐々に薄くなるように形成されているため、ブレード３２が回転して風の正面（ブレード３２の前縁が風上を向く状態）に位置したときに内側面３２ｎの抗力を、理論上０とすることができる。
【００３０】
そして、本実施の形態に係るブレード３２では、上部３２１と下部３２３の幅Ｗ１１より、中央部３２２の幅Ｗ２１が広く形成されている。そのため、上部および下部と中央部とが等幅に形成された従来のダリウス形のブレードより、中央部３２２が幅広く風を受けるができ、上部３２１と下部３２３の幅Ｗ１１が中央部３２２の幅Ｗ２１より細い分、全部を幅広くしたブレードより軽量にできる。
従って、微風であってもダリウス型のブレード３２だけで、力強い回転力を得ることができる。
【００３１】
微風から回転し始めるブレード３２は、ダリウス型なので、強風となっても回転、出力を上げることができる。
また、ダリウス型の風車は、風を受け徐々に回転が上がると、風速よりも風車の回転速度が高くなる。しかし、サポニウス型の風車は微風から回転させることができるが、構造的に高速に回転させるには不向きであるため、ダリウス型の風車にサポニウス型の風車を組み合わせた場合には、サポニウス型の風車がブレーキとなり、ダリウス型の風車の回転の邪魔をする。
よって、ダリウス型風車３０は、サボニウス型の円筒形の羽根がなくても、微風から強風まで力強く回転することができ、高回転、高出力を得ることができる。
【００３２】
ブレード３２は、上端３２ａから、中央部３２２の湾曲部３２２ａに向かって徐々に幅が広くなるように形成され、湾曲部３２２ａから下端３２ｂまで徐々に幅が狭くなるように形成されている。
また、ブレード３２は、上端３２ａから、中央部３２２の湾曲部３２２ａに向かって徐々に膨らみが大きくなるように形成され、湾曲部３２２ａから下端３２ｂまで徐々に薄くなるように形成されている。
そのため、幅だけでなく、膨らみによってもブレード３２の面積を広く確保することができる。
【００３３】
例えば、ブレードの形状を、段階的に幅広くしたり幅狭くしたり、段階的に膨らむようにしたり薄くしたりすると、その境界で段差ができ、風が通過するときに、気流が乱れ、乱流が発生するおそれがあり、回転駆動力を阻害する。
しかし、ブレード３２では、徐々に幅広くしたり幅狭くしたり、徐々に膨らむようにしたり薄くしたりしている。従って、ブレード３２には、幅の変化や膨らに変化に段差が無いため、気流が乱れることなくブレード３２をスムーズに流れる、そのため、ブレード３２に回転駆動力を効率よく発生させることができる。
【００３４】
図１に示すように、ダリウス型風車３０は、上端部３０ａと下端部３０ｂとがユニット枠２２に連結されているため、ダリウス型風車３０が高速で回転することで発生する揺動や振動を、ユニット枠２２が抑制する。従って、風力発電装置１０は安定した回転を得ることができる。
なお、本実施の形態に係る風力発電装置１０は、ユニット枠２２が直方体状に形成されているが、ダリウス型風車３０の上端部と下端部とが固定されていればよいので、図７（Ａ）および同図（Ｂ）に示すように、ダリウス型風車３０の支持枠２３，２４を、横Ｕ字状（三日月状）としたり、コ字状としたりすることができる。
【００３５】
本発明の実施の形態に係る風力発電装置の第１変形例を、図面に基づいて説明する。なお、図９においては、図６と同じ構成のものは同符号を付して説明を省略する。
図８および図９に示すダリウス型風車３０ｍは、図６に示す浮上装置３３および発電装置３４が、ブレード３２の上端３２ａおよび下端３２ｂに配置された連結具３１２ｘ，３１３ｘの間の垂直軸３１である回転軸３１１に設けられている。
【００３６】
浮上装置３３および発電装置３４は、内部が空洞の円柱状のケース３５により覆われている。
ケース３５の天面３５ａは連結具３１２ｘに連結され、底面３５ｂは連結具３１３ｘに連結されている。また、ケース３５の天面３５ａの内側面には、浮上装置３３の上部ケース３３１から上方へ延びる連結用軸部３６が連結しており、底面３５ｂには回転軸３１１が貫通している。
【００３７】
連結具３１２ｘは、垂直軸３１の一部となる軸部材３１２ａと、軸部材３１２ａの上端からブレード３２のそれぞれに向かって拡がってブレード３２の上端３２ａと連結する板部材３２１ｂとを備えている。軸部材３１２ａの下端がケース３５の天面３５ａに連結されている。
【００３８】
連結具３１３ｘは、それぞれのブレード３２をケース３５に連結するために、３個の部材から形成されている。連結具３１３ｘは、ケース３５の底面３５ｂと、ブレード３２の下端３２ｂとに連結するためにコ字状に形成されている。
【００３９】
このようにダリウス型風車３０ｍが形成され、浮上装置３３の第１磁石３３２と第２磁石３３４とが反発することで、上部ケース３３１および連結用軸部３６が浮上する。そして、ケース３５および連結具３１２ｘが浮上することで、ブレード３２が浮上する。
【００４０】
従って、浮上装置３３は、ブレードの回転時の抵抗となる垂直軸３１に掛かる荷重を軽減することができ、発電装置３４による発電効率の向上を図ることができる。
また、浮上装置３３および発電装置３４が、ブレード３２の上端部３２ａおよび下端部３２ｂの間の垂直軸３１である回転軸３１１に設けられているため、図６に示すダリウス型風車３０より高さを低く抑えることができる。
【００４１】
なお、本変形例１では、浮上装置３３と発電装置３４との両方が、ブレード３２の上端部３１ａおよび下端部３１ｂの間の回転軸３１１に設けられていたが、少なくとも浮上装置３３がブレード３２の内側にあれば、ダリウス型風車の高さを抑えることができる。
【００４２】
次に、本発明の実施の形態に係る風力発電装置の第２変形例を、図面に基づいて説明する。
図１０に示す風力発電装置１１ｘは、多段用フレーム２０に複数台のダリウス型風車が設置され、支柱４０に支持されている。複数台のダリウス型風車うち、最下段のダリウス型風車３０は、浮上装置３３と発電装置３４とを有している。最下段以外のダリウス型風車３０ｘは、浮上装置３３と発電装置３４とを備えていない。
【００４３】
これらのダリウス型風車３０，３０ｘのそれぞれの垂直軸３１が連結されることで、１本の垂直軸が構成される。そして、最下段のダリウス型風車３０は浮上装置３３を備えているため、連結された垂直軸３１を通じて、ダリウス型風車３０，３０ｘは浮上した状態で回転する。
【００４４】
このようにダリウス型風車３０，３０ｘが上下方向に多段に設置された風力発電装置１１は、それぞれのダリウス型風車３０，３０ｘの垂直軸３１が連動して回転する。
空気の流れは上層より下層が徐々に遅くなるため、回転が遅くなる下層のダリウス型風車３０ｘ，３０の回転を、上層に位置するダリウス型風車３０ｘが補うように高速回転する。
そのため、最下段のダリウス型風車３０の発電装置３４による発電を平均的に発生させることができる。
【００４５】
次に、本発明の実施の形態に係る風力発電装置の第３変形例を、図面に基づいて説明する。
本実施の形態に係るダリウス型風車の第３変形例は、図１１に示すように、ブレード３２に太陽光発電パネルＰを備えさせたものである。
太陽光発電パネルＰは、ブレード３２の少なくとも上部３２１の外側面に装着されており、図１１においては上部３２１から続いて中央部３２２の上半分まで形成されている。
太陽光発電パネルＰは、フレキシブルソーラーパネルと称されるものが使用でき、柔軟で湾曲させることができるため、ブレード３２の曲面に合わせて隙間なく装着させることができる。
【００４６】
このようにブレード３２の外側面に太陽光発電パネルＰが形成されていることで、ブレード３２の回転による発電だけでなく、太陽光発電パネルＰによる発電による電力も得ることができる。
また、太陽光発電パネルＰが、上部３２１と中央部３２２と下部３２３とにより弓状に形成されたブレード３２の、上部３２１から続いて中央部３２２の上半分まで装着されていることで、垂直翼のジャイルミル型風車より太陽光発電パネルＰの受光角度を垂直にまたは垂直近くとした状態で受けることができるため、発電効率を高めることができる。
【００４７】
更に、ブレード３２は回転軸３１１（図３参照）を中心に３６０度回転しているため、太陽が移動しても、ブレード３２に装着されたいずれかの太陽光発電パネルＰが、常に太陽光を受ける。従って、安定した発電を行うことができる。
【００４８】
なお、第３変形例では、上部３２１から続いて中央部３２２の上半分まで、太陽光発電パネルＰが装着されているが、上部３２１だけでもよい。
【００４９】
次に、本発明の実施の形態に係る風力発電装置の第４変形例を、図面に基づいて説明する。
本実施の形態に係るダリウス型風車の第４変形例は、図１２に示すように、ブレード３２に、画像データを表示させるディスプレイ装置の一例であるＬＥＤディスプレイを配置したものである。
【００５０】
図１２に示すように、ＬＥＤディスプレイＤは、ブレード３２の外側面に装着されている。ＬＥＤディスプレイＤは、図１３（Ａ）に示すように制御装置５０により表示制御される。
制御装置５０は、表示される画像データが格納される記憶手段５１と、ブレード３２の回転方向に合わせて、画像データを端から順に読み込み、ＬＥＤディスプレイＤに点灯させる表示処理手段５２と、表示処理手段５２からの信号を増幅するドライバ５３とを備えている。
【００５１】
本実施の形態の表示処理手段５２は、図１３（Ｂ）に示すようにブレード３２が３６０度回転して画像データＭ全部が表示されるように、画像データＭの一方の端から他方の端まで順番に表示している。
ＬＥＤディスプレイＤを見た観察者は、ブレード３２の回転と共にＬＥＤディスプレイＤに表示される画像が移動するが、残像により１枚の画像として捉えることができる。
【００５２】
このように、ブレード３２の外側面にＬＥＤディスプレイＤを配置し、制御装置５０が画像データを表示することにより、ＬＥＤディスプレイＤに宣伝や広告などを効果的に表示することができる。
なお、本変形例では、ディスプレイ装置をＬＥＤディスプレイとしたが、有機ＥＬディスプレイ、液晶パネルディスプレイなど他の薄型ディスプレイとすることができる。
【００５３】
（実施例１）
本実施の形態に係るダリウス型風車３０を発明品として作製して風力と発電電力について測定した。
図５（Ａ）に示すダリウス型のブレード３２の上部３２１および下部３２３は、厚みＴ１１を５０ｍｍ、後縁部の厚みＴ１２を１０ｍｍ、幅Ｗ１１を２２０ｍｍ、前縁から厚みが最も厚い位置までの傾斜部の幅Ｗ１２が４０ｍｍを形成した。
また、図５（Ｂ）に示すブレード３２の中央部３２２は、厚みＴ２１を１２０ｍｍ、後縁部の厚みＴ２２を１０ｍｍ、幅Ｗ２１を４２０ｍｍ、前縁から厚みが最も厚い位置までの傾斜部の幅Ｗ２２を９０ｍｍに形成した。
ダリウス型風車３０の発電装置３４（図６参照）は、出力５００Ｗのものを使用した。
【００５４】
また、比較のため、発電装置の出力が同じ５００Ｗで、ブレードの幅および厚みが等幅、等厚の帯状のブレードを有するダリウス型風車とサボニウス型風車を組み合わせたものを比較品として測定した。
【００５５】
図１４に示すように、発明品（実線にて示す）と比較品（点線にて示す）とは、風速６ｍ／ｓで１１５Ｗの差、風速８ｍ／ｓで１４３Ｗ、風速１０ｍ／ｓで２２０Ｗの差が発生した。
比較品では、風速２ｍ／ｓから風速が上がると徐々に風速１７ｍ／ｓまで発電電力が高くなり５００Ｗに達したが、カットアウトとなる風速１８ｍ／ｓまで達すると自動停止した。
発明品では、風速８ｍ／ｓの段階で発電電力が５００Ｗに達し、風速１８ｍ／ｓまで５００Ｗを超える出力が得られた。
【００５６】
このよう発明品は、微風から高い出力が得られ、強風となっても回転、出力を上げられることがわかる。
【産業上の利用可能性】
【００５７】
本発明のダリウス型風車は、機械的な動力として用いられる風車に好適であり、特に、風力発電に最適である。
【符号の説明】
【００５８】
１０，１１  風力発電装置
２０  多段用フレーム
２１  フレーム部材
２２  ユニット枠
２３，２４  支持枠
３０，３０ｍ  ダリウス型風車
３０ａ  上端部
３０ｂ  下端部
３１  垂直軸
３１ａ  上端部
３１ｂ  下端部
３１１  回転軸
３１２，３１３  連結具
３１２ｘ，３１３ｘ  連結具
３２  ダリウス型ブレード（ブレード）
３２ａ  上端
３２ｂ  下端
３２ｍ  外側面
３２ｎ  内側面
３２１  上部
３２２  中央部
３２３  下部
３２２ａ  湾曲部
３３  浮上装置
３３１  上部ケース
３３２  第１磁石
３３３  下側ケース
３３４  第２磁石
３３５  ボールスプライン
３４  発電装置
３４１  固定子
３４２  回転子
３５  ケース
３５ａ  天面
３５ｂ  底面
３６  連結用軸部
４０  支柱
５０  制御装置
５１  記憶手段
５２  表示処理手段
５３  ドライバ
Ｆ１  回転方向
Ｗ１１，Ｗ１２，Ｗ２１，Ｗ２２  幅
Ｔ１１，Ｔ１２，Ｔ２１，Ｔ２２  膨らみ
Ｇ  隙間
Ｐ  太陽光発電パネル
Ｄ  ＬＥＤディスプレイ
Ｍ  画像データ
【図１】
2020051288.tif 000004
【図２】
2020051288.tif 000005
【図３】
2020051288.tif 000006
【図４】
2020051288.tif 000007
【図５】
2020051288.tif 000008
【図６】
2020051288.tif 000009
【図７】
2020051288.tif 000010
【図８】
2020051288.tif 000011
【図９】
2020051288.tif 000012
【図１０】
2020051288.tif 000013
【図１１】
2020051288.tif 000014
【図１２】
2020051288.tif 000015
【図１３】
2020051288.tif 000016
【図１４】
2020051288.tif 000017